【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
別体の録音機器を接続可能な撮影機器において、
上記録音機器の操作信号を送受信して該録音機器との間で通信を行う通信部と、
上記通信部による送受信の結果に基づいて上記録音機器が接続されたか否かを判定する判定部と、
上記判定部の判定結果に応じて上記録音機器を作動させるための操作インフォメーションを表示し、かつ該撮影機器に接続された上記録音機器の集音範囲を画像により表示する表示制御部と、
上記表示制御部による上記表示に従った操作を受けて、上記別体の録音機器への操作指示を該撮影機器側の操作により行うための操作部又はタッチパネルと、
を具備することを特徴とする撮影機器。
【請求項２】
上記表示制御部は、該撮影機器の撮影により取得される画像上、又は該撮影機器の上記撮影の開始前に表示されるスルー画像上に、上記別体の録音機器に対する上記操作インフォメーションを合成表示することを特徴とする請求項１記載の撮影機器。
【請求項３】
上記表示制御部は、撮像対象の音声に関する上記操作インフォメーションとして録音開始、録音終了、録音ゲインの操作画面を合成表示することを特徴とする請求項１又は２記載の撮影機器。
【請求項４】
上記操作部又は上記タッチパネルは、上記別体の録音機器に対する上記操作インフォメーションの指示に対応する操作入力に応じて、該撮影機器の通信部を介して上記別体の録音機器に操作制御の指示を送信し、上記別体の録音機器に対する録音操作又は集音範囲を変更させることを特徴とする請求項１乃至３のうちいずれか１項記載の撮影機器。
【請求項５】
上記表示制御部は、上記別体の録音機器に対する上記操作インフォメーションに対して該撮影機器に接続された上記別体の録音機器の音声ゲイン設定を示す表示を合成表示し、
上記操作部又は上記タッチパネルによる操作入力を受け、上記別体の録音機器に対する上記操作インフォメーションの指示に対応する操作入力に応じて上記別体の録音機器の録音ゲインを変更させる、
ことを特徴とする請求項４記載の撮影機器。
【手続補正２】
【補正対象書類名】明細書
【補正対象項目名】０００６
【補正方法】変更
【補正の内容】
【０００６】
本発明の主要な局面に係る撮影機器は、別体の録音機器を接続可能な撮影機器において、録音機器の操作信号を送受信して該録音機器との間で通信を行う通信部と、通信部による送受信の結果に基づいて録音機器が接続されたか否かを判定する判定部と、判定部の判定結果に応じて録音機器を作動させるための操作インフォメーションを表示し、かつ該撮影機器に接続された録音機器の集音範囲を画像により表示する表示制御部と、表示制御部による表示に従った操作を受けて、別体の録音機器への操作指示を該撮影機器側の操作により行うための操作部又はタッチパネルとを具備する。
【手続補正３】
【補正対象書類名】明細書
【補正対象項目名】００１３
【補正方法】変更
【補正の内容】
【００１３】
カメラ本体１０は、信号処理制御部１と、撮像部２と、通信部３と、記録部４と、振動判定部５と、操作部６と、タッチパネル判定部７と、表示再生部８と、時計部９と、通信部１２と、タッチパネル１３とを有する。  
撮像部２は、撮像レンズ３２を介して入射した光束を光電変換して画像データを取得する。表示再生部８は、液晶ディスプレイ等の表示部とスピーカ等の音声再生部とを有する。この表示再生部８にある表示部は、撮像部２において得られた画像データに基づくスルー画像、静止画像等の各種画像を表示する。表示再生部８にある音声再生部は、ＩＣレコーダ２０から送信された音声を再生する。  
記録部４には、撮像部２により撮像され、信号処理制御部１により処理されて得られた画像ファイル等の各種データを記録するもので、例えばフラッシュメモリである。振動判定部５は、カメラ本体１０に対するユーザＱによる例えばタップ又はシェイク等の各種モーションを検知する。  
この振動判定部５は、例えば加速度センサを用いる。この振動判定部５は、例えば図３（ａ）に示すような振動検出用のチップ素子５１を複数配置して成る。  
これらチップ素子５１は、例えば架橋された金属部と当該チップ素子５１のチップ表面の金属部との位置が加速度によって変化するもので、マイクロ・エレクトロ・メカニカル・システムズ（ＭＥＭＳ）のプロセスによって作成される。これにより、各チップ素子５１は、例えばタップ又はシェイク等の各種モーションを受けると、その加速度によって電極間の距離が変化してそのコンデンサ成分が変化し、加速度を検出する。  
具体的には、図３（ｂ）に示すように３つのチップ素子５１ａ、５１ｂ、５１ｃをカメラ本体１０に設け、ｘｙｚ方向の３方向（前後、左右、上下の３方向）の各種モーションを検出する。  
操作部６は、ユーザＱがカメラ本体１０に対して各種の操作指示を与えるための各種の操作部材である。時計部９は、撮影時刻（日時）等の各種の時刻を計時する。  
タッチパネル１３は、表示再生部８における液晶ディスプレイ等の表示画面８ａ上に配置される。タッチパネル１３は、ユーザＱによるタッチ位置に対応するタッチ位置信号を出力する。  
タッチパネル判定部７は、タッチパネル１３からのタッチ位置信号を受けてタッチパネル１３へのタッチを判定すると共に、タッチ位置情報を信号処理制御部１の表示制御部１ａに送る。  
信号処理制御部１は、カメラ本体１０の各ブロックの動作制御を行う。この信号処理制御部１は、撮像部２において得られた画像データに対して圧縮処理等の各種の画像処理を施す。信号処理制御部１は、操作部６の操作を受けた場合、当該操作部６の操作内容に応じた各種の処理を実行する。  
通信部３は、信号処理制御部１が交換レンズ３０と通信するためのインターフェースである。この通信部１２は、信号処理制御部１がＩＣレコーダ２００と通信するためのインターフェースである。
【手続補正４】
【補正対象書類名】明細書
【補正対象項目名】００２０
【補正方法】変更
【補正の内容】
【００２０】
一方、ＩＣレコーダ２０が接続されていると、信号処理制御部１は、ＩＣレコーダ２０
が録音中であるか否かを判定する（Ｓ１２１）。録音中でなれば、表示制御部１ａは、図２に示すように操作インフォメーションとしてＩＣレコーダ２０による録音を促すためのタップ・録音Ｅ１をスルー画像上に合成して液晶ディスプレイ等の表示画面８ａ上に表示する（Ｓ１２２）。このタップ・録音Ｅ１は、撮影により取得されたスルー画像上に合成表示される。  
ユーザＱは、ＩＣレコーダ２０による録音を開始する場合、液晶ディスプレイ等の表示画面８ａ上の操作インフォメーションであるタップ・録音Ｅ１をタッチする。  
タッチパネル１３は、ユーザＱによるタッチ位置に対応するタッチ位置信号を出力する。  
タッチパネル判定部７は、タッチパネル１３からのタッチ位置信号を受けてタッチパネル１３へのタッチを判定する（Ｓ１２３）と共に、タッチ位置情報を表示制御部１ａに送る。この表示制御部１ａは、タッチパネル判定部７からのタッチ位置情報を受けてタップ・録音Ｅ１の操作インフォメーションに対する動作の指示をＩＣレコーダ２０に送る。  
ＩＣレコーダ２０は、表示制御部１ａからの録音の指示を受けて録音を開始（Ｓ１２４）する。このＩＣレコーダ２０の信号処理制御部２１は、音声収録部２７を動作させて各マイクロホンＭ１、Ｍ２からの各音声データを取得して録音を実行する。  
表示制御部１ａは、液晶ディスプレイ等の表示画面８ａ上の操作インフォメーションである録音中をスルー画像上に合成して表示する（Ｓ１２５）。